(57)【要約】【課題】複数のシート画像を積層させ、そのうちの１枚を表示対象とする場合、直観的な操作でかつ誤操作無く、シート画像内の表示領域の変更とシート画像間の表示領域の変更を実現すること。【解決手段】表示画像生成部５９は、シート内表示領域変更部５７による変更の動作があった場合には、最上位のシート画像内で変更された部分を、表示画像のデータとして生成し、シート間表示領域変更部５８による変更の動作があった場合には、最上位に積層されたシート画像からその次に積層されたシート画像に徐々にスライドさせていく様子を示す画像のデータを表示画像のデータとして生成する表示制御部６０は、データとして生成された表示画像を表示部１７の表示領域に表示させる制御を実行する。【選択図】図２
2014026445.tif 000002
【特許請求の範囲】
【請求項１】
複数のシート画像のデータを生成するシート画像生成手段と、
所定の順番で、前記シート画像生成手段により生成された前記複数のシート画像のデータを積層するシート画像積層手段と、
所定の表示デバイスの表示領域について、シート画像内での変更を許可するアクティブ状態と、当該変更を禁止するホールド状態とを切り替える操作を受け付ける切替操作受付手段と、
前記表示デバイスの表示内容の変更を指示する操作を受け付ける表示変更操作受付手段と、
前記アクティブ状態の場合に機能して、前記表示変更操作受付手段により受け付けられた操作の内容に基づいて、前記表示デバイスの表示領域を、最上位に積層されたシート画像の範囲内で変更させるシート内表示領域変更手段と、
前記ホールド状態の場合に機能して、前記表示変更操作受付手段により受け付けられた操作の内容に基づいて、前記表示デバイスの表示領域を、最上位に積層されたシート画像からその次に積層されたシート画像に徐々にスライドさせていくように変更させるシート間表示領域変更手段と、
前記シート内表示領域変更手段による変更の動作があった場合には、最上位のシート画像内で変更された部分を、表示画像のデータとして生成し、シート間表示領域変更手段による変更の動作があった場合には、最上位に積層されたシート画像からその次に積層されたシート画像に徐々にスライドさせていく様子を示す画像のデータを表示画像のデータとして生成する表示画像生成手段と、
前記表示画像生成手段によりデータとして生成された前記表示画像を前記表示デバイスの表示領域に表示させる制御を実行する表示制御手段と、
を備えることを特徴とする表示制御装置。
【請求項２】
前記シート画像積層手段は、前記シート間表示領域変更手段による変更の動作が行われる毎に、前記複数のシート画像が巡回的に移動するように、積層の順番を変えて前記複数のシート画像のデータを積層する、
ことを特徴とする請求項１に記載の表示制御装置。
【請求項３】
前記表示変更操作受付手段は、所定のジェスチャー操作を、前記表示デバイスの表示内容の変更を指示する前記操作として受け付ける、
ことを特徴とする請求項１又は２に記載の表示制御装置。
【請求項４】
表示画像を表示デバイスに表示させる表示制御装置が実行する表示制御方法であって、
複数のシート画像のデータを生成するシート画像生成ステップと、
所定の順番で、前記シート画像生成ステップの処理で生成された前記複数のシート画像のデータを積層するシート画像積層ステップと、
前記表示デバイスの表示領域について、シート画像内での変更を許可するアクティブ状態と、当該変更を禁止するホールド状態とを切り替える操作を受け付ける切替操作受付ステップと、
前記表示デバイスの表示内容の変更を指示する操作を受け付ける表示変更操作受付ステップと、
前記アクティブ状態の場合に機能して、前記表示変更操作受付ステップの処理で受け付けられた操作の内容に基づいて、前記表示デバイスの表示領域を、最上位に積層されたシート画像の範囲内で変更させるシート内表示領域変更ステップと、
前記ホールド状態の場合に機能して、前記表示変更操作受付ステップの処理により受け付けられた操作の内容に基づいて、前記表示デバイスの表示領域を、最上位に積層されたシート画像からその次に積層されたシート画像に徐々にスライドさせていくように変更させるシート間表示領域変更ステップと、
前記シート内表示領域変更ステップにおける変更の処理があった場合には、最上位のシート画像内で変更された部分を、表示画像のデータとして生成し、シート間表示領域変更ステップにおける変更の処理があった場合には、最上位に積層されたシート画像からその次に積層されたシート画像に徐々にスライドさせていく様子を示す画像のデータを表示画像のデータとして生成する表示画像生成ステップと、
前記表示画像生成ステップの処理によりデータとして生成された前記表示画像を前記表示デバイスの表示領域に表示させる制御を実行する表示制御ステップと、
を含むことを特徴とする表示制御方法。
【請求項５】
表示画像を表示デバイスに表示させる制御を実行するコンピュータに、
複数のシート画像のデータを生成するシート画像生成手段と、
所定の順番で、前記シート画像生成手段により生成された前記複数のシート画像のデータを積層するシート画像積層手段と、
前記表示デバイスの表示領域について、シート画像内での変更を許可するアクティブ状態と、当該変更を禁止するホールド状態とを切り替える操作を受け付ける切替操作受付手段と、
前記表示デバイスの表示内容の変更を指示する操作を受け付ける表示変更操作受付手段と、
前記アクティブ状態の場合に機能して、前記表示変更操作受付手段により受け付けられた操作の内容に基づいて、前記表示デバイスの表示領域を、最上位に積層されたシート画像の範囲内で変更させるシート内表示領域変更手段と、
前記ホールド状態の場合に機能して、前記表示変更操作受付手段により受け付けられた操作の内容に基づいて、前記表示デバイスの表示領域を、最上位に積層されたシート画像からその次に積層されたシート画像に徐々にスライドさせていくように変更させるシート間表示領域変更手段と、
前記シート内表示領域変更手段による変更の動作があった場合には、最上位のシート画像内で変更された部分を、表示画像のデータとして生成し、シート間表示領域変更手段による変更の動作があった場合には、最上位に積層されたシート画像からその次に積層されたシート画像に徐々にスライドさせていく様子を示す画像のデータを表示画像のデータとして生成する表示画像生成手段と、
前記表示画像生成手段によりデータとして生成された前記表示画像を前記表示デバイスの表示領域に表示させる制御を実行する表示制御手段と、
を実行させることを特徴とするプログラム。
【発明の詳細な説明】
【技術分野】
【０００１】
本発明は、表示制御装置、表示制御方法及びプログラムに関する。
【背景技術】
【０００２】
近年、サービス品質の確保と人件費とのバランスを調整するＷＦＭ（Ｗｏｒｋｆｏｒｃｅ  Ｍａｎａｇｅｍｅｎｔ）と呼ばれる管理手法が着目されている。このようなＷＦＭは、例えば、顧客のサポート窓口としてのコンタクトセンター（コールセンター）で実現されている。即ち、人件費を抑えつつ顧客応答の質を維持するために、個々のオペレータの稼働状況の分析から事前に必要となる人数を予測し、効果的な人材活用・配置を行うコンタクトセンターが実現している。
【０００３】
上述したようなＷＦＭに好適なツールとして、出願人が提供するＳｗｅｅｔ  Ｓｅｒｉｅｓが広く知られており、過去の呼量や応答実績等の情報を視覚的にわかりやすく表示して、効果的な人材活用・配置等に役立てている。
このようなＷＦＭに好適な従来の表示制御装置が、特許文献１に開示されている。特許文献１に記載の表示制御装置は、タッチ操作の間隔で、表示部の表示領域に表示させる内容の変更、例えば表示画像の表示対象部分の変更を行う。
【先行技術文献】
【特許文献】
【０００４】
【特許文献１】特開２０１０−１０２６６２号公報
【発明の概要】
【発明が解決しようとする課題】
【０００５】
上述の特許文献１に記載の表示制御装置は、複数のシート画像を取り扱うものではない。このため、ＷＦＭに用いる表示制御装置として、複数枚のシート画像を積層させ、そのうちの１枚を表示対象として表示させ、所定の操作がなされると、表示対象のシート画像を変更するものが要求されている。さらに、上述した特許文献１に記載のように、シート画像内での表示領域の変更（拡大縮小含む）を行うことが要求されている。また、直観的な簡易な操作でかつ誤操作無く、表示対象のシート画像の変更、即ちシート画像間での表示領域の変更を行うことも要求されている。
しかしながら、上述の特許文献１を含め従来の技術では、このような各種要求に十分に応えることができない状況である。
【０００６】
本発明は、このような状況に鑑みてなされたものであり、複数のシート画像を積層させ、そのうちの１枚を表示対象とする場合、直観的な操作でかつ誤操作無く、シート画像内の表示領域の変更とシート画像間の表示領域の変更を実現することを目的とする。
【課題を解決するための手段】
【０００７】
上記目的を達成するため、本発明の一態様の表示制御装置は、
複数のシート画像のデータを生成するシート画像生成手段と、
所定の順番で、前記シート画像生成手段により生成された前記複数のシート画像のデータを積層するシート画像積層手段と、
所定の表示デバイスの表示領域について、シート画像内での変更を許可するアクティブ状態と、当該変更を禁止するホールド状態とを切り替える操作を受け付ける切替操作受付手段と、
前記表示デバイスの表示内容の変更を指示する操作を受け付ける表示変更操作受付手段と、
前記アクティブ状態の場合に機能して、前記表示変更操作受付手段により受け付けられた操作の内容に基づいて、前記表示デバイスの表示領域を、最上位に積層されたシート画像の範囲内で変更させるシート内表示領域変更手段と、
前記ホールド状態の場合に機能して、前記表示変更操作受付手段により受け付けられた操作の内容に基づいて、前記表示デバイスの表示領域を、最上位に積層されたシート画像からその次に積層されたシート画像に徐々にスライドさせていくように変更させるシート間表示領域変更手段と、
前記シート内表示領域変更手段による変更の動作があった場合には、最上位のシート画像内で変更された部分を、表示画像のデータとして生成し、シート間表示領域変更手段による変更の動作があった場合には、最上位に積層されたシート画像からその次に積層されたシート画像に徐々にスライドさせていく様子を示す画像のデータを表示画像のデータとして生成する表示画像生成手段と、
前記表示画像生成手段によりデータとして生成された前記表示画像を前記表示デバイスの表示領域に表示させる制御を実行する表示制御手段と、
を備えることを特徴とする。
【発明の効果】
【０００８】
本発明によれば、複数のシート画像を積層させ、そのうちの１枚を表示対象とする場合、直観的な操作でかつ誤操作無く、シート画像内の表示領域の変更とシート画像間の表示領域の変更を実現することができる。
【図面の簡単な説明】
【０００９】
【図１】本発明の一実施形態が適用される表示制御装置のハードウェア構成を示すブロック図である。
【図２】図１の表示制御装置の機能的構成のうち、アクティブ／ホールド表示処理を実行するための機能的構成を示す機能ブロック図である。
【図３】アクティブ／ホールド表示処理における、表示領域のシート画像内変更とシート画像間変更との各々の概要を示す図である。
【図４】アクティブ／ホールド表示処理における、表示領域のシート画像間変更時における画面推移の例を示す図である。
【図５】アクティブ／ホールド表示処理における、表示部の画面遷移を示す状態遷移図である。
【図６】アクティブ／ホールド表示処理における、初期状態の第１シート画像が表示されている表示部の画面の一例を示す図である。
【図７】アクティブ／ホールド表示処理における、表示領域のシート画像内変更がなされた後の第１シート画像が表示されている表示部の画面の一例を示す図である。
【図８】アクティブ／ホールド表示処理における、表示領域のシート画像間変更がなされている最中の表示部の画面の一例を示す図である。
【図９】アクティブ／ホールド表示処理における、表示領域のシート画像間変更がなされた後の表示部の画面の一例を示す図である。
【発明を実施するための形態】
【００１０】
以下、本発明の一実施形態について図面を適宜参照しつつ説明する。
図１は、本発明の一実施形態が適用される表示制御装置のハードウェア構成を示すブロック図である。
表示制御装置１は、例えばタッチパネル式のタブレットとして構成される。
【００１１】
表示制御装置１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、入力部１６と、表示部１７と、記憶部１８と、通信部１９と、ドライブ２０と、を備えている。
【００１２】
ＣＰＵ１１は、ＲＯＭ１２に記録されているプログラム、又は、記憶部１８からＲＡＭ１３にロードされたプログラムにしたがって各種の処理を実行する。
【００１３】
ＲＡＭ１３には、ＣＰＵ１１が各種の処理を実行する上において必要なデータ等も適宜記憶される。
【００１４】
ＣＰＵ１１、ＲＯＭ１２及びＲＡＭ１３は、バス１４を介して相互に接続されている。このバス１４にはまた、入出力インターフェース１５も接続されている。入出力インターフェース１５には、入力部１６、表示部１７、記憶部１８、通信部１９及びドライブ２０が接続されている。
【００１５】
入力部１６は、表示部１７の表示画面に積層される静電容量式又は抵抗膜式のタッチパネルとして構成され、タッチ操作がなされた位置（以下、「タッチ位置」と呼ぶ）の座標を検出する。ここで、タッチ操作とは、入力部１６に対する物体（ユーザの指やタッチペン等）の接触又は近接の操作をいう。
表示部１７は、ディスプレイにより構成され、各種画像を表示する。
記憶部１８は、ハードディスク或いはＤＲＡＭ（Ｄｙｎａｍｉｃ  Ｒａｎｄｏｍ  Ａｃｃｅｓｓ  Ｍｅｍｏｒｙ）等で構成され、各種画像のデータを記憶する。
通信部１９は、インターネットを含むネットワークを介して他の装置（図示せず）との間で行う通信を制御する。
【００１６】
ドライブ２０には、磁気ディスク、光ディスク、光磁気ディスク、或いは半導体メモリ等よりなる、リムーバブルメディア３１が適宜装着される。ドライブ２０によってリムーバブルメディア３１から読み出されたプログラムは、必要に応じて記憶部１８にインストールされる。また、リムーバブルメディア３１は、記憶部１８に記憶されている画像のデータ等の各種データも、記憶部１８と同様に記憶することができる。
【００１７】
このような構成の表示制御装置１は、複数のシート画像を積層させ、表示対象のシート画像（変更中以外は１枚）を表示部１７に表示させることができる。
シート画像の具体例については後述するが、本実施形態において、表示制御装置１は、例えば、呼量等からテレフォンアポインタ等の人材管理を行うアプリケーションソフトに用いられるシート画像を表示部１７に表示させる。このようなシート画像としては、現在通話中のテレフォンアポインタを座席配置とともに模式的に表示するシート画像や、呼量の変化をグラフで模式的に表示するシート画像等が存在する。
【００１８】
また、表示制御装置１は、複数のシート画像を積層させ、表示対象のシート画像を表示部１７に表示させている状態で、アクティブ／ホールド処理を実行することができる。
ここで、「アクティブ状態」とは、表示対象のシート画像内における表示領域の変更を許可している状態をいい、「ホールド状態」とは、表示対象のシート画像内における表示領域の変更を禁止している状態をいう。
「アクティブ／ホールド表示処理」とは、アクティブ表示処理とホールド表示処理との組み合わせからなる処理である。「アクティブ表示処理」とは、アクティブ状態にして、シート画像内における表示領域を変更して、変更後の表示領域を表示部１７に表示させるまでの一連の処理をいう。「ホールド表示処理」とは、ホールド状態にして、表示対象を現在表示されているシート画像から現在表示されているシート画像とは異なるシート画像に変更させるまでの様子を表示部１７に動的に表示させ、最終的に異なるシート画像を表示するまでの一連の処理をいう。
【００１９】
図２は、図１の表示制御装置の機能的構成のうち、アクティブ／ホールド表示処理を実行するための機能的構成を示す機能ブロック図である。
【００２０】
ＣＰＵ１１においては、アクティブ／ホールド表示処理の実行が制御される場合には、シート画像生成操作受付部５１と、シート画像生成部５２と、シート画像積層部５３と、アクティブ／ホールド切り替え操作受付部５４と、表示変更操作受付部５５と、切替部５６と、シート内表示領域変更部５７と、シート間表示領域変更部５８と、表示画像生成部５９と、表示制御部６０と、が機能する。
なお、シート画像生成部５２乃至シート間表示領域変更部５８がＣＰＵ１１で機能することは例示に過ぎない。即ち、シート画像生成部５２乃至シート間表示領域変更部５８の機能の少なくとも一部を、ＣＰＵ１１以外の他の構成要素（例えば図示せぬ画像処理用の専用プロセッサ等）に移譲させることも可能である。
【００２１】
記憶部１８の一領域には、シート構成情報記憶部８１が設けられる。
シート構成情報記憶部８１には、シート画像のデータの生成に必要な各種情報、例えば、グラフ描画に必要な表データ、テレフォンアポインタの個人情報、アイコンパーツ等の各種情報が記憶されている。
【００２２】
シート画像生成操作受付部５１は、複数種類のシート画像の候補の中から、ユーザが任意に生成するシート画像を選択する操作（以下、「シート画像生成操作」と呼ぶ）を受け付ける。シート画像生成操作受付部５１は、選択結果を、シート画像生成部５２に通知する。
【００２３】
シート画像生成部５２は、シート構成情報記憶部８１に記憶される各種情報のデータに基づいて、ユーザが任意に選択した複数種類のシート画像のデータを生成する。
なお、シート画像生成部５２により生成されるシート画像の種類及びその数は、特に限定されないが、以下説明の簡略上、所定の３種類がユーザにより選択されたものとして説明する。よって、以下、３種類のシート画像の各々を区別する必要がある場合、「第１シート画像」、「第２シート画像」、及び「第３シート画像」の各々と呼ぶ。
【００２４】
シート画像積層部５３は、シート画像生成部５２によって生成された３種類の第１シート画像乃至第３シート画像の各々のデータを、所定の順番（後述する巡回的な順番も含む）で積層する。換言すると、シート画像積層部５３は、３種類のシート画像の各々の重なりの順番等のシート画像における積層関係を管理する。
具体的には例えば、シート画像生成部５２によって生成された順番が、新しいものから順に、第１シート画像、第２シート画像、及び第３シート画像の各データであるものとする。この場合、シート画像積層部５３は、初期状態において、シート画像生成部５２によって生成された順番、即ち、第１シート画像、第２シート画像、及び第３シート画像の順番で、各データを積層していく（或いはそのようなシート画像の積層関係を設定する）。
これにより、初期状態では、第１シート画像が表示対象として表示部１７に全画面表示され、第１シート画像から第２シート画像への表示変更が可能になる。
【００２５】
後述するシート間の表示変更があった場合には、シート画像積層部５３は、積層の順番を変えて、第１シート画像、第２シート画像、及び第３シート画像の各データを積層し直す。
ここで、積層の順番の変更手法は、特に限定されないが、本実施形態では、シート画像の循環移動（巡回移動）が可能なように、これまで表示対象であったシート画像（一番上に積層されていたシート画像）については、積層の順番が最上位から最下位に変更され、それ以外のシート画像については積層の順番が１つずつ繰り上がるように変更される。
具体的には例えば、上述の初期状態において、第１シート画像から第２シート画像への表示変更があった場合には、第１シート画像の積層の順番が第１位（最上位）から第３位（最下位）に変更され、第２シート画像の積層の順番が第２位から第１位（最上位）に変更され、第３シート画像の積層の順番が第３位から第２位に変更される。その結果、シート画像積層部５３は、第２シート画像、第３シート画像、及び第１シート画像の順番で各データを積層する。
これにより、第２シート画像が表示対象として表示部１７に全画面表示され、第２シート画像から第３シート画像への表示変更が可能になる。次に、このような表示変更があった場合には、第２シート画像の積層の順番が第１位（最上位）から第３位（最下位）に変更され、第３シート画像の積層の順番が第２位から第１位（最上位）に変更され、第１シート画像の積層の順番が第２位から第１位に変更される。その結果、シート画像積層部５３は、第３シート画像、第１シート画像、及び第２シート画像の順番で各データを積層する。
これにより、第３シート画像が表示対象として表示部１７に全画面表示され、第３シート画像から第２シート画像への表示変更が可能になる。次に、このような表示変更があった場合には、第３シート画像の積層の順番が第１位（最上位）から第３位（最下位）に変更され、第１シート画像の積層の順番が第２位から第１位（最上位）に変更され、第２シート画像の積層の順番が第２位から第１位に変更される。その結果、シート画像積層部５３は、第１シート画像、第２シート画像、及び第３シート画像の順番で各データを積層する。即ち、シート画像の表示変更が繰り返された結果、積層の順番が循環（巡回）して、初期状態に戻ったことになる。
以上、積層の順番が下位の方向にシート画像が表示変更される例について説明したが、当然ながら、積層の順番が上位の方向にシート画像を表示変更することも全く同様に実現可能である。
【００２６】
アクティブ／ホールド切り替え操作受付部５４は、シート画像内で表示領域の変更を許可するアクティブ状態と、シート画像内で表示領域の変更を禁止して、シート画像間の表示領域の変更を許可するホールド状態を切り替える操作（以下、「アクティブ／ホールド切り替え操作」と呼ぶ）を受け付ける。そして、アクティブ／ホールド切り替え操作受付部５４は、受け付けたアクティブ／ホールド切り替え操作の内容（アクティブ状態なのかホールド状態なのかの内容）を切替部５６に通知する。
本実施形態において、アクティブ／ホールド切り替え操作受付部５４は、アクティブ／ホールド切り替え操作として、表示部１７に表示された専用のソフトウェアボタンに対して押下操作（より正確には、入力部１６のタッチパネルのうち、当該ソフトウェアボタンの表示領域に対応する領域に対してなされるタッチ操作）を受け付ける。なお、以下、このような操作を「ソフトウェアボタン押下操作」と呼ぶ。
【００２７】
表示変更操作受付部５５は、表示部１７の表示内容の変更を指示する操作（以下、「表示変更操作」と呼ぶ）を受け付ける。そして、表示変更操作受付部５５は、受け付けた表示変更操作の内容に基づいて、切替部５６の出力先を切り替える制御を実行する。
本実施形態においては、表示変更操作受付部５５は、表示変更操作として、タッチ操作位置を移動させる操作、具体的には例えばいわゆる、フリック操作、スライド操作、スワイプ操作等の任意に設定したジェスチャー操作を受け付ける。
【００２８】
切替部５６は、表示変更操作受付部５５からの表示変更操作の内容を入力し、その出力先を、アクティブ／ホールド切り替え操作受付部５４による制御に基づいて切り替える。具体的には、切替部５６は、アクティブ状態の場合には出力先をシート内表示領域変更部５７に切り替えて、表示変更操作受付部５５からの表示変更操作の内容をシート内表示領域変更部５７に通知する。一方、切替部５６は、ホールド状態の場合には出力先をシート内表示領域変更部５７に通知する。
【００２９】
シート内表示領域変更部５７は、アクティブ状態の場合に機能して、切替部５６から通知された表示変更操作の内容に従って、表示部１７の表示領域を、表示対象（積層の順番が最上位）のシート画像内で変更させる制御を実行する。
換言すると、シート画像のサイズ（解像度）は、表示部１７の画面サイズ（解像度）よりも大きい場合があり、このような場合、表示部１７の表示領域には、シート画像の一部しか表示されない。従って、表示対象（最上位）のシート画像内の何れの部分を表示領域に表示させるのかが、表示変更操作の内容に応じて変更される。
【００３０】
シート間表示領域変更部５８は、ホールド状態の場合に機能して、切替部５６から通知された表示変更操作の内容に従って、表示部１７の表示領域を、シート画像間で変更させる制御を実行する。
換言すると、シート間表示領域変更部５８は、表示部１７の表示領域を、最上位に積層されたシート画像からその次に積層されたシート画像に徐々にスライドさせていくように変更させる制御を実行する。
【００３１】
さらに以下、表示領域のシート画像内変更と、表示領域のシート画像間変更との各々の詳細について、その違いを踏まえつつ、図３及び図４を参照して説明する。
【００３２】
図３は、アクティブ／ホールド表示処理における、表示領域のシート画像内変更とシート画像間変更との各々の概要を示す図である。
図３の左上の図に示すように、初期状態では、第１シート画像ｇ１乃至第３シート画像ｇ３がその順番で上方から積層され、最上位の第１シート画像ｇ１の一部の領域（本例では、中央の領域）が、表示部１７の表示領域Ｒ１に表示される。図３の例では、第１シート画像ｇ１の中央部には顔画像ｆ１が配置されており、当該中央部を含む第１シート画像ｇ１の部分が表示部１７の表示領域Ｒ１に表示されるため、結果として、表示領域Ｒ１の中央に顔画像ｆ１が表示される。
【００３３】
その後、アクティブ状態になると、表示部１７の表示領域Ｒ１の表示対象について、シート画像内での変更が許可される。
この場合、例えば、図３の右上の図に示すように、入力部１６のタッチパネルに対して指の接触位置等を左上方向に動かすタッチ操作（ジェスチャー操作）が表示変更操作として行われたとする。すると、表示部１７の表示領域Ｒ１からみて（固定されているとして）第１シート画像ｇ１が左上方向に移動され、その結果、表示部１７の表示領域Ｒ１の表示対象が、第１シート画像ｇ１のうち中央部から左上方向に離間した部分（離間の距離はジェスチャー操作の移動距離に依存する）に変更される。ユーザには、表示部１７の表示領域Ｒ１においては、顔画像ｆ１が中央から右上方に移動していくように、表示部１７の表示領域Ｒ１の表示が逐次更新されて行くように視認される。
【００３４】
一方、ホールド状態になると、表示部１７の表示領域Ｒ１の表示対象について、シート画像内での変更が禁止され、その代わりに、シート画像間での変更が許可される。
この場合、例えば、図３の右下の図に示すように、入力部１６のタッチパネルに対して指の接触位置等を左方向に動かすタッチ操作（ジェスチャー操作）が表示変更操作として行われたとする。すると、表示部１７の表示領域Ｒ１からみて（固定されているとして）、最上位に積層された第１シート画像ｇ１からその次に積層された第２シート画像ｇ２に徐々に左方向にスライドされていく。
【００３５】
図４は、アクティブ／ホールド表示処理における、表示領域のシート画像間変更時における画面推移の例を示す図である。
図４の左上の図は、初期状態、即ち、第１シート画像ｇ１がアクティブ状態となっている。この場合、表示変更操作（ジェスチャー操作）が行われると、表示領域Ｒ１の表示対象は、第１シート画像ｇ１内で変更されてしまうことになる。
ここで、本実施形態では、表示領域Ｒ１の左右の両端部又は一方の端部（本例では右方の端部）には、アクティブ／ホールド切り替え操作用のソフトウェアボタンＳＢ１が配置されている。このソフトウェアボタンＳＢ１に対する押下操作（ソフトウェアボタン押下操作）がなされると、アクティブ状態とホールド状態とのうち、現在設定されている一方の状態から、他方の状態に設定が変更される。
その際、ソフトウェアボタンＳＢ１の表示形態も変化する。即ち、アクティブ状態を示す第１の表示形態と、ホールド状態を示す第２の表示形態とが予め設定されている。第１の表示形態と第２の表示形態とは、相互に異なる形態であれば足りるが、本実施形態では、第１の表示形態として白色表示が採用されており、第２の表示形態として黒色表示が採用されている。これにより、ユーザは、現在設定されている状態がアクティブ状態なのかホールド状態なのかを即座に視認することができるため、表示領域のシート内移動とシート間移動との誤操作を防止することが可能になる。
具体的には、図４の右上の図は、初期状態（左上の図）においてソフトウェアボタンＳＢ１に対する押下操作（ソフトウェアボタン押下操作）がなされたため、ホールド状態に変更された様子を示している。
その後、入力部１６のタッチパネルに対して左方向に指等をスライドさせるジェスチャー操作が表示変更操作として行われたとする。すると、図４の右下の図に示すように、表示領域Ｒ１においては、最上位の第１シート画像ｇ１は左側に順次移動していくように表示され、その結果、移動が完了したところには、その下に積層されていた第２シート画像ｇ２及びソフトウェアボタンＳＢ２が現れるように表示される。
最終的には、図４の左下の図に示すように、第１シート画像ｇ１の最右端が表示領域Ｒ１の外に移動すると、表示領域Ｒ１においては、第１シート画像ｇ１が全て消去されて、その代わりに、第１シート画像ｇ１の一部分が表示されることになる。
このようにして、表示領域Ｒ１のシート画像間変更が行われる。なお、ソフトウェアボタンＳＢ２に対するソフトウェアボタン押下操作で、第２シート画像ｇ２をホールド状態に変更することができ、再度、積層状態に応じたシート画像間変更を行うことができる。
【００３６】
図２に戻り、表示画像生成部５９は、シート内表示領域変更部５７又はシート間表示領域変更部５８の制御結果と、シート画像積層部５３により管理されている積層の関係とに基づいて、表示部１７の表示領域に表示させる画像（以下、「表示画像」と呼ぶ）のデータを生成する。
即ち、図３及び図４を参照して説明した表示領域Ｒ１に表示される画像のデータが、表示画像のデータとして生成される。
表示制御部６０は、表示画像生成部５９によりデータとして生成された表示画像を、表示部１７の表示領域に表示させるように制御する。
【００３７】
次に、図５を参照して、表示部１７の表示領域における画面の状態遷移を説明しつつ、図２の機能的構成を有する表示制御装置１の動作について説明する。
【００３８】
図５は、アクティブ／ホールド表示処理における、表示部１７の画面遷移を示す状態遷移図である。
図５において、各状態は、１つの楕円で示されており、その楕円に引かれた“Ａ”を含む符号により判別される。
１つの状態から１つの状態への状態遷移（同一の状態に留まる場合も含む）は、所定の条件（以下、「状態遷移条件」と呼ぶ）が満たされると実行される。
このような状態遷移条件は、図５おいては、１つの状態から１つの状態への遷移を表す矢印に、“Ｃ”を含む符号を付して表されている。
【００３９】
図５の前提として、シート画像の積層数、即ち種類数は３とされているが、上述の如く、これは例示にしか過ぎない。
本実施形態においては、図５に示すように、定常的な状態として、第１シート画像の一部分が表示された状態Ａ１（以下、「第１シート画像表示状態Ａ１」）と、第２シート画像の一部分が表示された状態Ａ２（以下、「第２シート画像表示状態Ａ２」）と、第３シート画像の一部分が表示された状態Ａ３（以下、「第３シート画像表示状態Ａ３」）とが存在する。
これに対して、過渡状態として、表示領域のシート内表示領域変更がなされている状態Ａ４，Ａ６，Ａ８（以下、「シート内表示領域変更状態Ａ４，Ａ６，Ａ８」と呼ぶ）と、表示領域のシート間表示領域変更がなされている状態Ａ５，Ａ７，Ａ９（以下、「シート間表示領域変更状態Ａ５，Ａ７，Ａ９」と呼ぶ）とが存在する。
【００４０】
具体的には、上述の初期状態は、第１シート画像表示状態Ａ１におけるアクティブ状態をいうことになる。
第１シート画像表示状態Ａ１において、アクティブ状態（初期状態）で、表示変更操作が表示変更操作受付部５５により受け付けられると、状態遷移条件Ｃ１が満たされる。
すると、状態はシート内表示領域変更状態Ａ４に遷移する。この場合、図３の右上の図を用いて上述したように、表示変更操作の方向に、表示部１７の表示領域Ｒ１からみて（固定されているとして）第１シート画像が移動され、その結果、表示部１７の表示領域Ｒ１の表示対象となる、シート画像の部分が変更される。
表示変更操作の表示変更操作受付部５５による受け付けが終了すると、状態遷移条件Ｃ２が満たされる。すると、状態は第１シート画像表示状態Ａ１に戻る。
【００４１】
なお、各シート画像表示状態（定常状態）から各シート内表示領域変更状態（過渡状態）への遷移も、状態遷移条件Ｃ１と同様の状態遷移条件を満たすことにより行われる。そして、状態遷移条件Ｃ２と同様の状態遷移条件を満たすことにより、各シート内表示領域変更状態から元のシート画像表状態への遷移が行われる。
【００４２】
また、第１シート画像表示状態Ａ１において、ホールド状態で、表示変更操作が表示変更操作受付部５５により受け付けられると、状態遷移条件Ｃ７が満たされる。
すると、状態はシート間表示領域変更状態Ａ５に遷移する。この場合、図３の右下の図を用いて上述したように、表示部１７の表示領域Ｒ１からみて（固定されているとして）、最上位に積層された第１シート画像からその次に積層された第２シート画像に徐々に左方向にスライドされていく。
その後、ホールド状態で、表示領域変更操作の表示変更操作受付部５５による受け付けが、一定以上継続されると、状態遷移条件Ｃ８が満たされる。すると、状態は第２シート画像間表示状態Ａ２に遷移する。
【００４３】
なお、各シート画像表示状態（定常状態）から各シート間表示領域変更状態（過渡状態）への遷移も、状態遷移条件Ｃ７と同様の状態遷移条件が満たされることにより行われる。そして、状態遷移条件Ｃ８と同様の状態遷移条件を満たすことにより、次のシート画像表示状態（定常状態）への遷移が行われる。
ここで、注目すべき点は、第１シート画像表示状態Ａ１と第３シード画像表示状態Ａ３との間の遷移を可能にすべく、シート間表示領域変更状態Ａ９が設けられている点である。この点により、循環的（巡回的）なシート画像間の変更、即ち、第１シート画像→第２シート画像→第３シート画像→第１シート画像という循環的（巡回的）な変更、又は、第１シート画像→第３シート画像→第２シート画像→第１シート画像という循環的（巡回的）な変更が可能になる。
【００４４】
次に、このような画面遷移が行われる表示部１７の表示画面の具体例について説明する。
【００４５】
図６は、アクティブ／ホールド表示処理における、初期状態の第１シート画像が表示されている表示部１７の画面の一例を示す図である。なお、図６の例における初期状態は、ユーザにより複数のシート画像が選択され、選択状態に基づいて、第１シート画像がアクティブ状態で表示された状態である。具体的には、現在対応中のテレフォンアポインタを座席配置とともに模式的に表示するシート画像を第１シート画像ｇ１として選択し、呼量の変化をグラフで模式的に表示するシート画像を第２シート画像として選択した場合を例として以下説明する。
【００４６】
表示部１７の画面には、アクティブ／ホールド切り替え操作用のソフトウェアボタンＳＢ１１を含む第１シート画像ｇ１の表示領域Ｒ１１と、ステータスの表示領域Ｒ１２が表示される。
【００４７】
画面の中央付近の表示領域Ｒ１１には、第１シート画像ｇ１として、複数の座席に加えて、観葉植物、テーブル等のフロアの環境も含めた座席配置の画像が表示される。
座席に対応する画像ｇ４には、配置されるテレフォンアポインタの情報の一部（「人材ＩＤ」，「内線番号」，「通話時間」，「氏名」）が表示される。
また、座席画像ｇ１００は、ソフトウェアボタンとしても機能しており、ユーザにより任意の座席画像ｇ１００に対して、ソフトウェアボタン押下操作を行うと、当該座席に対応するテレフォンアポインタの詳細な情報としてポップアップ画像ＰＯ１が表示される。この際、ポップアップ画像ＰＯ１が表示された座席画像ｇ１００は、強調表示される。座席画像ｇ１００の強調表示は、本実施形態では、座席の外縁が太枠となることで強調表示される。
また、表示領域Ｒ１１における第１シート画像ｇ１の左端には、アクティブ／ホールド切り替え操作用のソフトウェアボタンＳＢ１１が配置されている。
【００４８】
画面上方の表示領域Ｒ１２には、各種の機能変更等を行うためのソフトウェアボタンＳＢ１２乃至ＳＢ１７が複数配置される。
ソフトウェアボタンＳＢ１２は、現在表示中の第１シート画像ｇ１を削除する機能を発揮するソフトウェアボタンである。
ソフトウェアボタンＳＢ１３は、機能の設定等の各種設定の画面へ表示を変更するためのソフトウェアボタンである。
ソフトウェアボタンＳＢ１４は、現在表示中の第１シート画像ｇ１のアイコンである。
ソフトウェアボタンＳＢ１５は、第１シート画像ｇ１の下に積層されている第２シート画像に対応するアイコンである。即ち、積層状態に応じて、積層するシート画像に対応したアイコンが増えることになる。
ユーザがソフトウェアボタンＳＢ１５に対して、ソフトウェアボタン押下操作を行うことで、第２シート画像を表示させることができる。
ソフトウェアボタンＳＢ１５は、第１シート画像ｇ１の下に積層されている第２シート画像に対応するアイコンである。
ソフトウェアボタンＳＢ１６は、本アプリケーションのホーム画面へ表示を変更するためのソフトウェアボタンである。ホーム画面では、シート画像の選択や機能設定画面への移動等が行える。
ソフトウェアボタンＳＢ１６は、メール送信の画面を変更するためのソフトウェアボタンである。
【００４９】
次に、このような初期状態の画面表示における表示変更操作について説明する。
図７は、アクティブ／ホールド表示処理における、表示領域のシート画像内変更がなされた後の第１シート画像ｇ１が表示されている表示部の画面の一例を示す図である。
図６のような初期状態では、第１シート画像ｇ１が表示され、かつ、アクティブ状態であるため、シート画像内変更が可能となる。
図７の例は、図６の画面表示の状態から表示変更操作を行って、シート内表示変更が行われた状態である。具体的には、ユーザが入力部１６のタッチパネルに対して右方向に指等をスライドさせるジェスチャー操作が表示変更操作として行われた後の表示画面となる。その結果、第１シート画像ｇ１においては、非表示であった左側のフロアの座席配置が表示されることとなる。
【００５０】
次に、アクティブ状態である初期状態からホールド状態に遷移させて、シート画像間変更を行う場合について説明する。
ホールド状態に遷移させる場合には、ユーザは、ソフトウェアボタンＳＢ１１（図６）に対して、ソフトウェアボタン押下操作を行う。すると、シート画像内変更が禁止される。その後、ユーザが入力部１６のタッチパネルに対して右方向に指等をスライドさせるジェスチャー操作が表示変更操作として行うことで、シート間表示変更の最中の画面となる。
【００５１】
図８は、アクティブ／ホールド表示処理における、表示領域のシート画像間変更がなされている最中の表示部の画面の一例を示す図である。なお、本実施形態では、アクティブ状態とホールド状態を視覚的に識別可能にするためにホールド状態の第１シート画像ｇ１に対して、色を反転させる表示が行われる。
シート間表示変更の最中の画面では、図８に示すように、ユーザによる入力部１６のタッチパネルに対するジェスチャー操作により、第１シート画像ｇ１が右方向に移動している。第１シート画像ｇ１が移動したことによる残余の表示領域Ｒ１１には、第１シート画像ｇ１の下に積層される第２シート画像ｇ２がアクティブ／ホールド切り替え操作用のソフトウェアボタンＳＢ１８とともに表示されている。また、ステータスの表示領域Ｒ１２には、第１シート画像ｇ１が移動したことにより、新たなソフトウェアボタンＳＢ１９が表示される。ソフトウェアボタンＳＢ１９は、新たなシート画像を追加する機能を発揮するソフトウェアボタンである。
このまま、ユーザによる入力部１６のタッチパネルに対するジェスチャー操作が行われることで、表示領域Ｒ１１，Ｒ１２から第１シート画像ｇ１に関係する画像が消去されることになる。
また、図８に示す状態において、ソフトウェアボタンＳＢ１１に対して、ソフトウェアボタン押下操作を行うと、第１シート画像ｇ１がアクティブ状態となり、第１シート画像ｇ１のシート内表示変更又は、第２シート画像ｇ２のシート内表示変更が可能となる。即ち、表示部１７においては、第１シート画像ｇ１と、第２シート画像ｇ２とを同時に表示させることができ、例えば、ユーザは、第１シート画像ｇ１と、第２シート画像ｇ２との比較を行うことができる。
【００５２】
次に、アクティブ／ホールド表示処理における、表示領域のシート画像間変更がなされた後の表示部１７の画面について説明する。
図９は、アクティブ／ホールド表示処理における、表示領域のシート画像間変更がなされた後の表示部１７の画面の一例を示す図である。
【００５３】
図９の例では、第２シート画像ｇ２として呼量の変化をグラフで模式的に表示するシート画像が表示される。なお、図９の例では、第２シート画像ｇ２をアクティブ状態で表示している。
本例の第２シート画像ｇ２は、機能毎に４つに表示領域Ｒ１１が区分されている。
表示領域Ｒ１１には、左上に［サマリー］の欄、右上に［スキル別保有者］［キュー］の欄、右下に［スキルチェンジ］の欄が設けられる。
［サマリー］の欄は、全体の状況を一覧的に表示するための領域である。［サマリー］の欄には、全体移動状況を集計した円グラフ、各種「キュー名」（「資料請求」、「ポイントサービス」、「サポートＦＡＸ」、「故障の問い合わせ」、「キャッシング」、「サポートＳｋｙｐｅ」、「新規入会」、「リボ」）の集計結果（「待呼」、「Ａ／Ｃ」、「ＡＬＬ」）、各種「キュー名」に対応する人数等が表示される。
［スキル別保有者］の欄は、スキルのグループ別に現在稼働中の人材のスキルの保有を、一覧表示するための領域である。［スキル別保有者］の欄には、「ゴールド」、「キャッシング」、「ポイント」等の複数のスキルを１グループにして、グループ毎に集計された人数、合計の人数等が表示される。
［キュー］の欄は、現在稼働中の人材の待ち呼量に関する情報を一覧的に表示する領域である。［キュー］の欄には、キューをステータス毎に集計した円グラフ、円グラフを形成するステータス（「アイドル」、「通話中」、「着信中」、「故障中」、「着信不可」、「離席中」、「ログイン」）と、ステータスに対応した人数等が表示される。
［スキルチェンジ］の欄は、スキルの変更に関する情報を選択可能に表示する領域である。［スキルチェンジ］の欄には、選択ボックスのアイコン、選択可能な「エージェント」の「ステータス」、「着信スキル」、「保有スキル」、スキルの変更を可能にする「スキルチェンジ」のアイコン等が表示される。
このような表示画面においては、アクティブ状態であるため、ユーザによる表示変更操作により、シート内表示変更が可能となる。
また、ユーザによりソフトウェアボタンＳＢ１８に対して、ソフトウェアボタン押下操作が行われた場合には、第２シート画像ｇ２がホールド状態になり、シート間表示変更が可能になる。シート間表示変更を行った場合には、表示領域Ｒ１２には、他のシート画像のアイコンが表示されていないために、循環的（巡回的）に第１シート画像ｇ１が表示される。
これに対して、ユーザによりソフトウェアボタンＳＢ１１に対して、ソフトウェアボタン押下操作が行われた場合には、ソフトウェアボタンＳＢ１１付近に対して、表示変更操作を行うことで、第１シート画像ｇ１を再度表示させることができる。
従って、表示制御装置１においては、複数のシート画像を積層させ、そのうちの１枚を表示対象とする場合、直観的な操作でかつ誤操作無く、シート画像内の表示領域の変更とシート画像間の表示領域の変更を実現することができる。
【００５４】
以上説明したように、表示制御装置１は、シート画像生成部５２と、シート画像積層部５３と、アクティブ／ホールド切り替え操作受付部５４と、表示変更操作受付部５５と、シート内表示領域変更部５７と、シート間表示領域変更部５８と、表示画像生成部５９と、表示制御部６０と、を備える。
【００５５】
シート画像生成部５２は、複数のシート画像のデータを生成する。
シート画像積層部５３は、所定の順番で、シート画像生成部５２により生成された複数のシート画像のデータを積層する。
アクティブ／ホールド切り替え操作受付部５４は、シート画像内での表示領域の変更を許可するアクティブ状態と、当該変更を禁止するホールド状態とを切り替える操作を受け付ける。
表示変更操作受付部５５は、表示部１７の表示内容の変更を指示する操作を受け付ける。
シート内表示領域変更部５７は、アクティブ状態の場合に機能して、表示変更操作受付部５５により受け付けられた操作の内容に基づいて、表示部１７に表示される領域を、最上位に積層されたシート画像の範囲内で変更させる。
シート間表示領域変更部５８は、ホールド状態の場合に機能して、表示変更操作受付部５５により受け付けられた操作の内容に基づいて、表示部１７に表示される領域を、最上位に積層されたシート画像からその次に積層されたシート画像からに徐々にスライドさせていくように変更させる。
表示画像生成部５９は、シート内表示領域変更部５７による変更の動作があった場合には、最上位のシート画像内で変更された領域を、表示画像として生成し、シート間表示領域変更部５８による変更の動作があった場合には、最上位に積層されたシート画像からその次に積層されたシート画像に徐々にスライドさせていく様子を示す画像を表示画像のデータとして生成する。
表示制御部６０は、表示画像生成部５９により生成された表示画像を表示部１７に表示させる制御を実行する。
【００５６】
これにより、表示制御装置１においては、複数のシート画像がある状態において、アクティブ状態では、表示中のシート画像内での移動を許可し、異なるシート画像を表示させる場合には、ホールド状態として、シート画像内での移動を禁止する。
従って、表示制御装置１においては、複数のシート画像を積層させ、そのうちの１枚を表示対象とする場合、直観的な操作でかつ誤操作無く、シート画像内の表示領域の変更とシート画像間の表示領域の変更を実現することができる。
【００５７】
シート画像積層部５３は、シート間表示領域変更部５８による変更の動作が行われる毎に、複数のシート画像が巡回的に移動するように、積層の順番を変えて複数のシート画像のデータを積層する。
従って、ユーザは、シート画像を戻す操作をすることなく、新たなシート画像の表示領域に変更することで、既に表示したシート画像を表示させることができる。
【００５８】
表示変更操作受付部５５は、所定のジェスチャー操作を、表示部１７の表示内容の変更を指示する操作として受け付ける。
従って、表示制御装置１においては、シート画像内の表示領域の変更と、シート画像間の表示領域の変更を、操作感を損なうことなく行うことができる。
【００５９】
なお、本発明は、上述の実施形態に限定されるものではなく、本発明の目的を達成できる範囲での変形、改良等は本発明に含まれるものである。
【００６０】
上述の実施形態では、シート構成情報記憶部８１に記憶されたシート画像要素のデータによりシート画像のデータを生成したが、これに限られず、通信部１９を介して外部機器から取得したデータに基づいて、シート画像のデータを生成してもよい。
【００６１】
また、上述の実施形態では、各種操作の受付をタッチパネルにより構成された入力部１６に対する操作により受け付けていたがこれに限られるものではない。例えば、各種操作の受付は、入力部１６をタッチパネル以外で構成することもでき、その場合には、入力部１６の種別に応じた操作、例えば、表示部１７に表示された情報に対するクリック操作やキーボードを介した入力操作等を受け付けるように構成することができる。
【００６２】
また、上述の実施形態では、本発明が適用される表示制御装置１は、タッチパネル式のタブレットを例として説明したが、特にこれに限定されない。
例えば、本発明は、表示機能を有する電子機器一般に適用することができる。具体的には、例えば、本発明は、ノート型のパーソナルコンピュータ、テレビジョン受像機、ビデオカメラ、携帯型ナビゲーション装置、携帯電話機、ポータブルゲーム機等に適用可能である。
【００６３】
上述した一連の処理は、ハードウェアにより実行させることもできるし、ソフトウェアにより実行させることもできる。
換言すると、図２の機能的構成は例示に過ぎず、特に限定されない。即ち、上述した一連の処理を全体として実行できる機能が表示制御装置１に備えられていれば足り、この機能を実現するためにどのような機能ブロックを用いるのかは特に図２の例に限定されない。
また、１つの機能ブロックは、ハードウェア単体で構成してもよいし、ソフトウェア単体で構成してもよいし、それらの組み合わせで構成してもよい。
【００６４】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００６５】
このようなプログラムを含む記録媒体は、ユーザにプログラムを提供するために装置本体とは別に配布される図１のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図１のＲＯＭ１２や、図１の記憶部１８に含まれるハードディスク等で構成される。
【００６６】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
【００６７】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【符号の説明】
【００６８】
１・・・表示制御装置、１１・・・ＣＰＵ、１２・・・ＲＯＭ、１３・・・ＲＡＭ、１４・・・バス、１５・・・入出力インターフェース、１６・・・入力部、１７・・・表示部、１８・・・記憶部、１９・・・通信部、２０・・・ドライブ、３１・・・リムーバブルメディア、５１・・・シート画像生成操作受付部、５２・・・シート画像生成部、５３・・・シート画像積層部、５４・・・アクティブ／ホールド切り替え操作受付部、５５・・・表示変更操作受付部、５６・・・切替部、５７・・・シート内表示領域変更部、５８・・・シート間表示領域変更部、５９・・・表示画像生成部、６０・・・表示制御部、８１・・・シート要素情報記憶部
【図１】
2014026445.tif 000003
【図２】
2014026445.tif 000004
【図３】
2014026445.tif 000005
【図４】
2014026445.tif 000006
【図５】
2014026445.tif 000007
【図６】
2014026445.tif 000008
【図７】
2014026445.tif 000009
【図８】
2014026445.tif 000010
【図９】
2014026445.tif 000011